(57)【要約】  眼内レンズの挿入作業に必要な切開創の大きさをより小さくすることが可能であるとともに、眼内レンズの挿入器具の挿入筒部の挿入作業及び引き抜き作業をより円滑にしまたは安定化させることができる技術を提供する。ノズル本体のノズル部１５に先端開口部１０ｊから軸方向後側に延びるスリット１０ｍを設けるとともに、ノズル部１５における先端から、眼球３内に挿入させる最大長さに相当する部分（以下、挿入限界点ともいう。）１０ｐに、ノズル部１５の眼内への挿入量を規制する挿入禁止部１０ｑを設け、さらに、スリット１０ｍの基端部１０ｎが挿入禁止部１０ｑの段部１０ｌより軸方向後側に配置される。
2012086797.tif 000002
【特許請求の範囲】
【請求項１】
眼内レンズを収容する筒形状または略筒形状を有する器具本体と、
前記器具本体内に軸方向後方から挿入されることで、前記眼内レンズを軸方向前方に移動させる押出部材と、を備え、
前記器具本体は、先端部に設けられ外径及び内径が減縮された挿入筒部と、該挿入筒部の先端で開口した先端開口部とを有し、
前記押出部材によって前記眼内レンズに前記挿入筒部を通過させることで小さく変形させた上で前記先端開口部より放出して眼内に挿入する眼内レンズの挿入器具であって、
前記器具本体は、
前記先端開口部から軸方向後側に延びるように前記挿入筒部に設けられたスリットと、
前記挿入筒部の先端から所定距離の部分に設けられ前記挿入筒部の眼内への挿入量を規制する段状の挿入規制部と、をさらに有し、
前記スリットの後端は、前記挿入規制部の段状の部分より軸方向後側に配置されることを特徴とする眼内レンズの挿入器具。
【請求項２】
前記先端開口部は、前記挿入筒部の中心軸に直交する面に対して傾斜した傾斜面を形成するように設けられ、
前記傾斜面は、前記先端開口部における前記眼内レンズの光軸方向前側が、光軸方向後側よりも前記挿入筒部の前側となるように傾斜していることを特徴とする請求項１に記載の眼内レンズの挿入器具。
【請求項３】
前記スリットは、前記挿入筒部の先端側から見て、前記先端開口部における最先端の部分の逆側に形成されていることを特徴とする請求項２に記載の眼内レンズの挿入器具。
【請求項４】
前記器具本体は、
前記押出部材によって前記眼内レンズを移動させ前記挿入筒部を通過させる際に、前記眼内レンズを、前記挿入筒部の先端側から見て、前記先端開口部における最先端の部分の側に凸になるように折りたたんで変形させる変形補助手段をさらに有することを特徴とする請求項３に記載の眼内レンズの挿入器具。
【請求項５】
前記器具本体は、前記挿入筒部の後方に設けられ前記器具本体の内径が先端側に行くほど略テ―パ状に縮径する縮径部を有し、
前記変形補助手段は、前記テ―パの傾斜角が、縮径部における後側より先端側の方が急峻である多段テ―パ構造であることを特徴とする請求項４に記載の眼内レンズの挿入器具。
【請求項６】
前記器具本体は、前記挿入筒部の後方に設けられ前記器具本体の内径が先端側に行くほど略テ―パ状に縮径する縮径部を有し、
前記変形補助手段は、前記縮径部において前記器具本体の内壁に設けられ、前記眼内レンズの周辺部を眼内レンズの光軸方向前側からから支持する周辺部支持ガイドであることを特徴とする請求項４に記載の眼内レンズの挿入器具。
【請求項７】
前記挿入規制部は、前記挿入筒部の後側であって、前記縮径部の先端側に設けられ、前記挿入筒部より大きい外径を有する筒状の大径部であり、
前記スリットの後端は、前記大径部の側面に配置され、前記大径部における、前記スリットの後端の周囲には、前記挿入筒部の側面を延長した面である小径部が形成されたことを特徴とする請求項１から６のいずれか一項に記載の眼内レンズの挿入器具。
【請求項８】
請求項１から７のいずれか一項に記載の眼内レンズの挿入器具に、眼内レンズを収容させた眼内レンズのプリセット型挿入システム。
【発明の詳細な説明】
【技術分野】
【０００１】
本発明は、眼内レンズを患者の眼球内に挿入するための眼内レンズの挿入器具に関する。
【背景技術】
【０００２】
従来から、白内障等の手術においては、眼球における角膜（鞏膜）や水晶体前嚢部分などの眼組織に切開創を設け、この切開創を介して、嚢内の水晶体を摘出、除去し、その後に、水晶体に代替する眼内レンズを、前記切開創より眼内に挿入して嚢内に配置させる処置が行われている。【０００３】
特に近年においては、眼内レンズを切開創より眼球内に挿入する際に、以下に示すような挿入器具が用いられる場合が多い。すなわち、器具本体の先端部に設けられた挿入筒部の先端開口部を、切開創を通じて眼球内に挿し入れると共に、眼内レンズを器具本体内で小さく変形せしめた状態で挿入筒部の先端開口部から棒状のプランジャによって押し出すことにより、眼内レンズを眼球内に挿入する。このような挿入器具を用いることにより、水晶体の摘出除去のために形成した切開創を利用して眼内レンズを簡単に眼球内に挿入できるので、手術を簡略化することができ、手術後の乱視の発生や感染症の発生を抑制することができる。【０００４】
なお、眼内レンズの挿入器具としては、挿入筒部の先端部における先端開口端面を挿入筒部の中心軸に直交する面に対して傾斜した傾斜面とすると共に、先端開口端面の挿入筒部の中心軸に直交する面に対する傾斜角度を先端部側よりも基端部側において大きく形成し、更に、先端開口端面の周縁部を、外周面テーパ形状による尖鋭エッジ形状としたものが公知である（例えば、特許文献１を参照）。これにより、眼内レンズの飛び出しを抑えて挿入筒部の先端縁部まで安定した押し出しを行なうことができるとともに、挿入筒部を切開創へ円滑に挿入することが可能となる。【０００５】
ところで、上記の眼内レンズの挿入作業においては、手術時の患者の負担を低減するために、切開創の大きさをより小径化することが求められており、挿入器具における挿入筒部の先端については、より小さくすることが求められている。その要求に対し、挿入筒部にスリットを設けておく提案がなされている。これによれば、眼内レンズを切開創に挿入する際には、当該スリットにより、挿入筒部の外径が一旦小さくなるとともに、眼内レンズが挿入筒部を通過する際には、眼内レンズの復元力により挿入筒部の径が大きくなることで、眼内レンズへの負担を軽減することができる。（例えば、特許文献２から６参照。）【０００６】
しかしながら、挿入筒部にスリットを設けた場合、切開創に挿入筒部を挿入した後に、眼内レンズが挿入筒部を通過する際に眼内レンズの復元力によってスリットが破断し、挿入筒部に予期せぬ変形が生じる場合があった。そうすると、挿入筒部を切開創から円滑に引き抜くことが困難になる場合があった。また、切開創への挿入筒部の挿入時においても、スリットの基端部が変形してしまい、変形した基端部が切開創を通過する際に眼球を損傷させてしまうおそれがあった。【０００７】
上記の不都合への対応としては、スリットの基端部が切開創を通過することを防止するために、スリットの長さを長くすることが考えられるが、この場合には、必然的に挿入筒部自体の長さが長くなり、その結果、必要量以上に挿入筒部を眼球内に挿入してしまうなどの不都合があった。
【先行技術文献】
【特許文献】
【０００８】
【特許文献１】特開２００９−１６０１５３号公報
【特許文献２】特開２００９−２４０７２８号公報
【特許文献３】国際公開第ＷＯ２００５／０７０３４１号パンフレット
【特許文献４】特開昭６３−１９７４５３号公報
【特許文献５】特許第３８６１１３８号公報
【特許文献６】欧州特許出願公開第０５１９２８２号明細書
【発明の概要】
【発明が解決しようとする課題】
【０００９】
本発明は、上記の従来技術の問題点に鑑みて案出されたものであり、その目的は、眼内レンズの挿入作業に必要な切開創の大きさをより小さくすることが可能であるとともに、眼内レンズの挿入器具の挿入筒部の挿入作業及び引き抜き作業をより円滑にしまたは安定化させることができる技術を提供することである。
【課題を解決するための手段】
【００１０】
本発明においては、器具本体の挿入筒部に先端開口部から軸方向後側に延びるスリットを設けるとともに、挿入筒部の先端から所定距離の部分に挿入筒部の眼内への挿入量を規制する段状の挿入規制部を設け、スリットの後端が挿入規制部の段状の部分より軸方向後側に配置されることを最大の特徴とする。【００１１】
より詳しくは、眼内レンズを収容する筒形状（筒形状または、実質的に筒形状である略筒形状であればよい）を有する器具本体と、
前記器具本体内に軸方向後方から挿入されることで、前記眼内レンズを軸方向前方に移動させる押出部材と、を備え、
前記器具本体は、先端部に設けられ外径及び内径が減縮された挿入筒部と、該挿入筒部の先端で開口した先端開口部とを有し、
前記押出部材によって前記眼内レンズに前記挿入筒部を通過させることで小さく変形させた上で前記先端開口部より放出して眼内に挿入する眼内レンズの挿入器具であって、
前記器具本体は、
前記先端開口部から軸方向後側に延びるように前記挿入筒部に設けられたスリットと、
前記挿入筒部の先端から所定距離の部分に設けられ前記挿入筒部の眼内への挿入量を規制する段状の挿入規制部と、をさらに有し、
前記スリットの後端は、前記挿入規制部の段状の部分より軸方向後側に配置されることを特徴とする。【００１２】
これによれば、まず、挿入規制部の先端側、すなわち挿入筒部において眼球に挿入される部分の全域にスリットが形成されるので、挿入筒部の径を高い自由度で変化させることができる。従って、より小さい切開創から挿入筒部を眼球内に挿入することができる。また、眼内レンズが挿入筒部を通過する際には、眼内レンズの復元力により挿入筒部の径が適宜拡大するので、復元力によって眼内レンズが先端開口部から不用意に飛び出すことも抑制することができる。さらに、スリットの長さが長いことから、眼内レンズの挿入時に眼内レンズの復元力が局所的に作用することを抑制でき、スリット自体の損傷を抑制することができる。【００１３】
また、これによれば、スリットの後端である基端部は、挿入規制部の段状の部分より後側に配置しているので、切開創から眼球の中に侵入することはない。従って、スリットの後端が変形などしたとしても、眼球を傷つけたり、挿入筒部の挿入と引き抜き動作を阻害したりすることを抑制できる。なお、上記において所定距離とは、眼内レンズの挿入作業時に切開創から眼球内に挿入されるべき長さまたは、その上限値を示している。【００１４】
また、本発明においては、前記先端開口部は、前記挿入筒部の中心軸に直交する面に対して傾斜した傾斜面を形成するように設けられ、
前記傾斜面は、前記先端開口部における前記眼内レンズの光軸方向前側が、光軸方向後側よりも前記挿入筒部の前側となるように傾斜させてもよい。また、本発明においては、前記スリットは、前記挿入筒部の先端側から見て、前記先端開口部における最先端の部分の逆側に形成されるようにしてもよい。【００１５】
ここで、通常は、眼内レンズを押出部材で移動させて挿入筒部を通過させた場合には、光軸方向前側に凸になるように折りたたまれて変形する。本発明においては、スリットは、挿入筒部の先端側から見て、先端開口部における最先端の部分の逆側に形成されるので、眼内レンズの中央部がスリットに接触しづらくなる。従って、眼内レンズの中央部がスリットで傷ついたり、スリットから眼内レンズがはみ出たりすることを抑制できる。【００１６】
また、本発明においては、前記器具本体は、
前記押出部材によって前記眼内レンズを移動させ前記挿入筒部を通過させる際に、前記眼内レンズを、前記挿入筒部の先端側から見て、前記先端開口部における最先端の部分の側に凸になるように折りたたんで変形させる変形補助手段をさらに有するようにしてもよい。【００１７】
すなわち、眼内レンズを単に押出部材で移動させて挿入筒部を通過させる方法では、状況により、眼内レンズが光軸方向後側に凸になるように折りたたまれて変形する場合がある。その場合、先端開口部から正常に眼内レンズを押し出すことが困難になるばかりか、スリットによって眼内レンズを傷つけてしまう場合がある。これに対し、本発明においては、変形補助手段が、挿入筒部の先端側から見て、先端開口部における最先端の部分の側、すなわち、光軸前側に凸になるように、眼内レンズを折りたたんで変形させる。【００１８】
従って、より確実に、眼内レンズを、光軸前側に凸になるように折りたたんで変形させることが可能となり、より確実に、眼内レンズの中心がスリットで傷ついたり、スリットから眼内レンズがはみ出たりすることを抑制できる。【００１９】
また、本発明においては、前記器具本体は、前記挿入筒部の後方に設けられ前記器具本体の内径が先端側に行くほど略テ―パ状に縮径する縮径部を有し、
前記変形補助手段は、前記テ―パの傾斜角が、縮径部における後側より先端側の方が急峻である多段テ―パ構造であるようにしてもよい。【００２０】
ここで、発明者の鋭意研究により、眼内レンズに挿入筒部を通過させる際に、器具本体の内径が先端側に行くほどテ―パ状に縮径するようにし、さらに、当該テ―パの傾斜角が、縮径部における後側より先端側の方が急峻である場合に、より確実に、眼内レンズを、光軸前側に凸になるように折りたたんで変形させることが可能となることが明らかになった。従って、本発明においては、器具本体は、挿入筒部の後方に設けられ器具本体の内径が先端側に行くほど略テ―パ状に縮径する縮径部を有し、変形補助手段は、テ―パの傾斜角が、縮径部における後側より先端側の方が急峻である多段テ―パ構造であるようにした。【００２１】
これにより、より確実に、眼内レンズを、光軸前側に凸になるように折りたたんで変形させることが可能となり、より確実に、眼内レンズの中心がスリットで傷ついたり、スリットから眼内レンズがはみ出たりすることを抑制できる。【００２２】
また、本発明においては、前記器具本体は、前記挿入筒部の後方に設けられ前記器具本体の内径が先端側に行くほど略テ―パ状に縮径する縮径部を有し、
前記変形補助手段は、前記縮径部において前記器具本体の内壁に設けられ、前記眼内レンズの周辺部を眼内レンズの光軸方向前側から支持する周辺部支持ガイドであるようにしてもよい。【００２３】
ここでも、発明者の鋭意研究により、眼内レンズに挿入筒部を通過させる際に、器具本体の内径が先端側に行くほどテ―パ状に縮径するようにし、さらに、その際に、眼内レンズの周辺部を光軸方向前側（先端開口部における最先端の部分の側）から支持することで、より確実に、眼内レンズを、光軸方向前側に凸になるように折りたたんで変形させることが可能となることが明らかになった。そこで、本発明では、器具本体は、挿入筒部の後方に設けられ器具本体の内径が先端側に行くほど略テ―パ状に縮径する縮径部を有し、変形補助手段は、縮径部において器具本体の内壁に設けられ、眼内レンズの周辺部を眼内レンズの光軸方向前側から支持する周辺部支持ガイドであるようにした。【００２４】
これによっても、より確実に、眼内レンズを、光軸方向前側に凸になるように折りたたんで変形させることが可能となり、より確実に、眼内レンズの中心がスリットで傷ついたり、スリットから眼内レンズがはみ出たりすることを抑制できる。【００２５】
また、本発明においては、前記挿入規制部は、前記挿入筒部の後側であって、前記縮径部の先端側に設けられ、前記挿入筒部より大きい外径を有する筒状の大径部であり、
前記スリットの後端は、前記大径部の側面に配置され、前記大径部における、前記スリットの後端の周囲には、前記挿入筒部の側面を延長した面である小径部が形成されるようにしてもよい。【００２６】
これによれば、挿入規制部においては、挿入筒部の略全周に亘って外径が増大する段部が形成されることとなり、より確実に、器具本体が眼球に挿入され過ぎることを抑制することが可能である。また、スリットの後端は、大径部の側面に配置され、大径部の側面においてスリットの後端の周囲には、挿入筒部の側面を延長した（すなわち、挿入筒部と同径の）小径部が形成されているので、スリットの後端における変形自由度を確保することができる。【００２７】
これにより、挿入筒部をより高い自由度で円滑に変形させることができるので、必要な切開創の長さまたは径をより小さくすることができ、挿入筒部の挿入及び引き抜き作業をより円滑に行うことが可能になる。【００２８】
また、本発明は、上記のいずれかの眼内レンズの挿入器具に、眼内レンズを予め収容させた状態で流通する眼内レンズのプリセット型挿入システムとしても構わない。【００２９】
なお、上記した本発明の課題を解決する手段については、可能なかぎり組み合わせて用いることができる。
【発明の効果】
【００３０】
本発明によれば、眼内レンズの挿入作業に必要な切開創の大きさをより小さくすることができるとともに、眼内レンズの挿入器具の挿入作業及び引き抜き作業をより円滑にしまたは安定化させることができる。
【図面の簡単な説明】
【００３１】
【図１】本発明の実施例における眼内レンズの挿入器具の概略構成を示す図である。
【図２】本発明の実施例における眼内レンズの概略構成を示す図である。
【図３】本発明の実施例におけるノズル本体の概略構成を示す図である。
【図４】本発明の実施例における位置決め部材の概略構成を示す図である。
【図５】本発明の実施例におけるプランジャの概略構成を示す図である。
【図６】従来のノズル部付近を上下方向下側から見た図である。
【図７】ノズル部のスリットの作用について説明するための図である。
【図８】本発明の実施例１におけるノズル部付近を上下方向下側から見た図である。
【図９】本発明の実施例１におけるノズル部付近の３箇所における後方向から見た断面図である。
【図１０】本発明の実施例２におけるノズル部付近を上下方向下側から見た図である。
【図１１】本発明の実施例３におけるノズル部付近を上下方向下側から見た図及び、スリットの作用を示す図である。
【図１２】本発明の実施例３におけるノズル部付近を上下方向下側から見た図の第２の態様である。
【発明を実施するための形態】
【００３２】
以下に、図面を参照して本発明の実施の形態について説明する。
【００３３】
＜実施例１＞
図１には、本実施例における眼内レンズの挿入器具１（以下、単に、挿入器具１ともいう。）の概略構成を示す。図１（ａ）は平面図、図１（ｂ）は側面図を示している。挿入器具１は、断面略矩形の筒状に形成された器具本体としてのノズル本体１０を備えている。ノズル本体１０の片側は大きく開口し（以下、大きく開口した側を後端部１０ｂという。）、別側の端部には径が細く絞られた挿入筒部としてのノズル部１５が設けられており、ノズル部１５の端部には斜めに開口した先端部１０ａが設けられている。また、挿入器具１は、ノズル本体１０に挿入され往復運動可能な押出部材としてのプランジャ３０を備えている。なお、以下において、ノズル本体１０の先端部１０ａから後端部１０ｂへ向かう方向を前後方向、図１（ａ）において紙面に垂直方向を上下方向、前後方向及び上下方向に垂直な方向を左右方向とする。
【００３４】
ノズル本体１０の後端部１０ｂ付近には、板状に迫り出し、使用者がプランジャ３０をノズル本体１０の先端側に押し込む際に指を掛けるホールド部１１が一体的に設けられている。また、ノズル本体１０におけるノズル部１５の後端側には、眼内レンズ２をセットするステージ部１２が設けられている。このステージ部１２は、ステージ蓋部１３を開蓋することでノズル本体１０の上側（図１（ａ）における紙面垂直手前側）が開放されるようになっている。また、ステージ部１２には、ノズル本体１０の下側（図１（ａ）における紙面垂直奥側）から位置決め部材５０が取り付けられている。この位置決め部材５０によって、使用前（輸送中）において、ステージ部１２内で眼内レンズ２が安定して保持されている。
【００３５】
すなわち、挿入器具１においては、製造時に、ステージ蓋部１３が開蓋し位置決め部材５０がステージ部１２に取り付けられた状態で、眼内レンズ２がステージ部１２にセットされる。そして、ステージ蓋部１３を閉蓋した後に、出荷、販売され、使用者はステージ蓋部１３を閉蓋したままで位置決め部材５０を取り外す。そして、ステージ蓋部１３に設けられた不図示の注入口より粘弾性物質を注入し、その後プランジャ３０をノズル本体１０の先端側に押し込むことで、プランジャ３０で眼内レンズ２を押圧し、先端部１０ａより眼内レンズ２を押し出す。なお、挿入器具１におけるノズル本体１０、プランジャ３０、位置決め部材５０の素材はポリプロピレンなどの樹脂で形成される。ポリプロピレンは医療用機器において実績があり、耐薬品性などの信頼性も高い素材である。
【００３６】
図２は、眼内レンズ２の概略構成を示した図である。図２（ａ）は平面図で、より具体的には光軸前側から見た図である。図２（ｂ）は側面図で、より具体的には光軸と垂直方向から見た図である。眼内レンズ２は、所定の屈折力を有するレンズ本体２ａと、レンズ本体２ａに設けられ、レンズ本体２ａを眼球内で保持するためのヒゲ状の２本の支持部２ｂ、２ｂとから形成されている。レンズ本体２ａは可撓性の樹脂材料から形成されている。
【００３７】
図３にはノズル本体１０の平面図を示す。前述のようにノズル本体１０においては、眼内レンズ２はステージ部１２にセットされる。そして、その状態でプランジャ３０によって押圧されて先端部１０ａから眼内レンズ２が押し出される。なお、ノズル本体１０にはノズル本体１０の外形の変化に応じて断面形状が変化する貫通孔１０ｃが設けられている。そして、眼内レンズ２が押し出される際は、眼内レンズ２は、ノズル本体１０内の貫通孔１０ｃの断面形状の変化に応じて変形し、患者の眼球に形成された切開創に入り易い形に変形した上で押し出されることになる。
【００３８】
ステージ部１２には、眼内レンズ２のレンズ本体２ａの径より僅かに大きな幅を有するステージ溝１２ａが形成されている。ステージ溝１２ａの前後方向の寸法は、眼内レンズ２の両側に延びる支持部２ｂ、２ｂを含む最大幅寸法よりも大きく設定されている。また、ステージ溝１２ａの底面によってセット面１２ｂが形成されている。セット面１２ｂの上下方向位置（図３の紙面に垂直方向の位置）は、ノズル本体１０におけるステージ部１２より後側の貫通孔１０ｃの底面の高さ位置よりも上方（図３の紙面に垂直方向手前側）に設定されており、セット面１２ｂと貫通孔１０ｃの底面とは底部斜面１０ｄによって連結されている。
【００３９】
ステージ部１２とステージ蓋部１３とは一体に形成されている。ステージ蓋部１３はステージ部１２と同等の前後方向寸法を有している。ステージ蓋部１３は、ステージ部１２の側面がステージ蓋部１３側に延出して形成された薄板状の連結部１４によって連結されている。連結部１４は中央部で屈曲可能に形成されており、ステージ蓋部１３は、連結部１４を屈曲させることでステージ部１２に上側から重なり閉蓋することが可能となっている。
【００４０】
ステージ蓋部１３において、閉蓋時にセット面１２ｂと対向する面には、ステージ蓋部１３を補強し、眼内レンズ２の位置を安定させるためにリブ１３ａ及び１３ｂが設けられている。また、プランジャ３０のガイドとして案内突起１３ｃが設けられている。
【００４１】
ステージ部１２のセット面１２ｂの下側には、位置決め部材５０が取外し可能に設けられている。図４に、位置決め部材５０の概略構成を示す。図４（ａ）は平面図を示し、図４（ｂ）は側面図を示している。図４において左右方向が本実施例の前後方向、図４（ａ）における上下方向が本実施例の左右方向、図４（ｂ）における上下方向は本実施例の上下方向に相当する。位置決め部材５０はノズル本体１０と別体として構成されており、一対の側壁部５１、５１が連結部５２で連結された構造になっている。それぞれの側壁部５１の下端には、外側に向けて延出して広がる保持部５３、５３が形成されている。
【００４２】
そして、それぞれの側壁部５１、５１の上端部には、上方から見た形状が円弧形状であり上側に突出した一対の第一載置部５４、５４が形成されている。さらに、第一載置部５４の上端面における外周側には、第一位置決め部５５、５５が突出して形成されている。第一位置決め部５５の内径どうしの距離は、眼内レンズ２のレンズ本体２ａの径寸法よりも僅かに大きく設定されている。
【００４３】
また、連結部５２の前後方向の両端には、上方から見た形状が矩形状であり上側に突出した一対の第二載置部５６、５６が形成されている。第二載置部５６の上面の高さは、第一載置部５４の上端面の高さと同等になっている。更に、第二載置部５６、５６の上面において外側の部分には、第二載置部５６、５６の左右方向の全体に亘って上側にさらに突出する第二位置決め部５７、５７が形成されている。第二位置決め部５７内側どうしの離隔は、眼内レンズ２のレンズ本体２ａの径寸法よりも僅かに大きく設定されている。加えて、図４（ｂ）に示すように、第二載置部５６の上端部には左右方向の全体に亘り、前後方向に僅かに突出した係止爪５８、５８が形成されている。
【００４４】
本実施例では、上記の位置決め部材５０が、ノズル本体１０のセット面１２ｂの下側から組み付けられる。ノズル本体１０のセット面１２ｂには、厚さ方向にセット面１２ｂを貫通するセット面貫通孔１２ｃが４箇所形成されている。セット面貫通孔１２ｃの外形は、位置決め部材５０の第一載置部５４および第二載置部５６を上側から見た形状に対し僅かに大きな略相似形状とされている。そして、位置決め部材５０がノズル本体１０に取り付けられる際には、第一載置部５４、５４および第二載置部５６、５６が、セット面１２ｂの下側からセット面貫通孔１２ｃに挿入され、セット面１２ｂの上側に突出する。
【００４５】
その際、第二載置部５６、５６に設けられた係止爪５８、５８がセット面貫通孔１２ｃを介してセット面１２ｂに突出し、セット面１２ｂの上面に係止される。このことによって、位置決め部材５０がノズル本体１０の下側から組み付けられ、第一載置部５４、５４および第二載置部５６、５６がセット面１２ｂから突出した状態で固定される。そして、眼内レンズ２がセット面１２ｂにセットされる際には、レンズ本体２ａの外周部底面が、第一載置部５４、５４および第二載置部５６、５６の上面に載置される。また、レンズ本体２ａは第一位置決め部５５、５５及び第二位置決め部５７、５７によって前後左右方向に対して位置規制される。
【００４６】
図５にはプランジャ３０の概略構成を示す。図５（ａ）は平面図、図５（ｂ）は側面図である。プランジャ３０は、ノズル本体１０よりもやや大きな前後方向長さを有している。そして、円柱形状を基本とした先端側の作用部３１と、矩形ロッド形状を基本とした後端側の挿通部３２とから形成されている。そして、作用部３１は、円柱状に形成された円柱部３１ａと、円柱部３１ａの左右方向に広がる薄板状の扁平部３１ｂとを含んで構成されている。
【００４７】
作用部３１の先端部分には、切欠部３１ｃが形成されている。この切欠部３１ｃは、図５（ａ）から分かるように、作用部３１の上方向に開口し左右方向に貫通する溝状に形成されている。また、図５（ｂ）から分かるように、切欠部３１ｃの先端側の端面は作用部３１の先端側に行くに連れて上方に向かう傾斜面で形成されている。
【００４８】
一方、挿通部３２は、全体的に概略Ｈ字状の断面を有しており、その左右方向および上下方向の寸法は、ノズル本体１０の貫通孔１０ｃよりも僅かに小さく設定されている。また、挿通部３２の後端には、上下左右方向に広がる円板状の押圧板部３３が形成されている。
【００４９】
挿通部３２の前後方向の中央より先端側の部分には、挿通部３２の上側に向けて突出し、プランジャ３０の素材の弾性により上下に移動可能な爪部３２ａが形成されている。そして、プランジャ３０がノズル本体１０に挿入された際には、ノズル本体１０の上面において厚さ方向に設けられた係止孔１０ｅと爪部３２ａとが係合し、このことにより初期状態におけるノズル本体１０とプランジャ３０との相対位置が決定される。なお、爪部３２ａと係止孔１０ｅの形成位置は、係合状態において、作用部３１の先端が、ステージ部１２にセットされた眼内レンズ２のレンズ本体２ａの後方に位置し、レンズ本体２ａの後方の支持部２ｂを切欠部３１ｃが下方から支持することが可能な場所となるよう設定されている。
【００５０】
上記のように構成された挿入器具１の使用前においては、プランジャ３０がノズル本体１０に挿入されて初期位置に配置される。また、位置決め部材５０が、前述のように、セット面１２ｂの下方からステージ部１２に取り付けられる。これにより、位置決め部材５０の第一載置部５４および第二載置部５６がセット面１２ｂに突出した状態に保持される。
【００５１】
また、眼内レンズ２のレンズ本体２ａが支持部２ｂ、２ｂをノズル本体１０の前後方向に向けた状態で第一載置部５４および第二載置部５６の上端面に載置され位置決めされる。この状態において、眼内レンズ２は、レンズ本体２ａの外周部分が第一載置部５４および第二載置部５６に接触しているので、中央部分は非負荷状態で支持されている。また、この状態において、眼内レンズ２の支持部２ｂは、プランジャ３０の切欠部３１ｃの底面によって支持されている。
【００５２】
また、この状態においては、第二載置部５６によって、プランジャ３０の前進を阻止するストッパが構成されており、プランジャ３０は、位置決め部材５０がノズル本体１０から取り外されない限り前進が不可能な状態となっている。
【００５３】
挿入器具１を用いて眼内レンズ２を患者の眼球内に挿入する場合には、先ず、位置決め部材５０をノズル本体１０から取り外す。これにより、眼内レンズ２のレンズ本体２ａを支持していた第一載置部５４および第二載置部５６がセット面１２ｂから後退し、眼内レンズ２がセット面１２ｂ上に載置される。セット面１２ｂは平坦面とされていることから、眼内レンズ２を安定して載置せしめることが出来ると共に、ステージ溝１２ａの幅寸法が眼内レンズ２のレンズ本体２ａの径寸法より僅かに大きい程度とされていることから、セット面１２ｂ上での眼内レンズ２の周方向の回転も抑制されるようになっている。
【００５４】
続いて、眼組織に設けた切開創にノズル本体１０の先端部１０ａ側からノズル部１５を挿入する。そして、その状態で、プランジャ３０の押圧板部３３をノズル本体１０の先端側に押し込む。これにより、セット面１２ａにセットされた眼内レンズ２のレンズ本体２ａ外周にプランジャ３０の作用部３１の先端が当接し、プランジャ３０によって眼内レンズ２が先端部１０ａに向けて案内される。
【００５５】
次に、従来のノズル本体１０のノズル部１５付近の構成について図６を用いて詳しく説明する。図６（ｂ）に、従来のノズル本体１０におけるノズル部１５付近を上下方向下側から見た図を示す。また、図６（ａ）は、ノズル部１５を先端側から見た図である。ノズル本体１０の外形は、全体としてステージ部１２側からノズル部１５側に行くに連れて次第に先細となる形状を有している。貫通孔１０ｃには、断面積が次第に小さくされた縮径部としてのテ―パ部１０ｆが形成されている。テ―パ部１０ｆは、ノズル部１５側に行くに連れて底面および上面の幅寸法が小さくされることによって断面積が小さくなるように構成されている。ここにおいて、テ―パ部１０ｆの後端部分における底面は、先端側に行くに従って上方に上がるよう傾斜した傾斜面１０ｇが形成されており、この傾斜面１０ｇによって段差が設けられている。
【００５６】
貫通孔１０ｃの底面におけるテ―パ部１０ｆ近傍には、底面の左右方向中央を挟んでノズル本体１０の前後方向に延びる一対の導入突部１０ｈが形成されている。導入突部１０ｈは、軸方向の傾斜面１０ｇの前後方向に亘って設けられており、テ―パ部１０ｆの後端側の底面から僅かに上方に突出して互いに平行に延びる線状に形成されている。ここにおいて、傾斜面１０ｇ上に形成された導入突部１０ｈの前端部分は、傾斜面１０ｇが先端側に行くに連れて次第に高くなることによって、傾斜面１０ｇの前端部において等しい高さとなるように形成されている。また、導入突部１０ｈどうしの離隔距離は、プランジャ３０の作用部３１の幅寸法よりも僅かに大きい寸法とされている。
【００５７】
そして、貫通孔１０ｃにおけるテ―パ部１０ｆの先端側には、ノズル部１５が形成されているが、ノズル部１５においては、貫通孔１０ｃは略一定の断面積をもってストレートに延びるように形成されている。先端部１０ａにおいて貫通孔１０ｃは開口され、先端開口部１０ｊが形成されている。先端開口部１０ｊは、ノズル本体１０におけるノズル部１５を下側（図６において紙面手前方向）に行くほど後側に行くよう斜めに切断することで形成されている。すなわち、先端部１０ａにおいて上端の先端上側部１００が下端の先端下側部１０１よりも前方に延び出された形となっている。
【００５８】
また、ノズル部１５には、先端開口部１０ｊの先端下端部１０１から後側に延びるスリット１０ｍが形成されている。本実施例におけるスリット１０ｍは、先端開口部１０ｊから略同一の幅で後側に延びるように形成されている。
【００５９】
図７には、スリット１０ｍの作用について示す。まず、眼内レンズの挿入作業前の状態は、図７（ａ）に示すように、ノズル部１５には特に負荷が作用しておらず、ノズル部１５は前述のようにストレートに延びた略円柱状の形状を有している。次に、図７（ｂ）には、ノズル部１５を眼球３に形成された切開創３ａに挿入した状態を示す。ここで、切開創３ａの径は、ノズル部１５の径より、若干小さめに設定されている。この状態では、ノズル部１５を切開創３ａに挿入した際に、ノズル部１５に切開創３ａを小さくする方向への負荷が眼球３によって作用する。従って、スリット１０ｍの特に先端側の幅が狭くなるように、ノズル部１５が変形する。このような作用のため、より小さい切開創３ａにノズル部１５を挿入することが可能となる。
【００６０】
次に、図７（ｃ）には、眼内レンズ２をノズル部１５を通過させて眼球３内に挿入する際の状態を示す。図７（ｃ）に示すように、眼内レンズ２がノズル部１５を通過する際には、貫通孔１０ｃのテ―パ部１０ｆによって小さく変形した眼内レンズ２の復元力によって、ノズル部１５の形状は、切開創３ａからの負荷に抗して変形前の方向に戻る。
【００６１】
このように、ノズル部１５にスリット１０ｍを形成することで、より小さい切開創を用いて眼内レンズ２の挿入作業が可能となり、また、眼内レンズ２がノズル部１５を通過する際には、ノズル部１５が広がる方向に変形するために、眼内レンズ２が自らの復元力で先端開口部１０ｊから飛び出すことを抑制でき、眼内レンズ２の挿入作業をより円滑に行うことができる。
【００６２】
しかしながら、ノズル部１５に上記のようなスリット１０ｍを形成した場合、挿入動作時に、変形した眼内レンズ２の復元力によりスリット１０ｍ自体が破断し、ノズル部１５に予期せぬ変形を生じさせて、眼内レンズ２の挿入作業の終了後、ノズル部１５を眼球３から円滑に引き抜くことが困難となる場合があった。また、ノズル部１５の切開創３ａへの挿入時においては、図７（ｂ）からも分かるように、スリット１０ｍの後端としての基端部１０ｎが変形し、ノズル部１５を、スリット１０ｍの基端部１０ｎまで眼球３内に挿入すると、変形した基端部１０ｎによって眼球を傷つけるおそれがあった。さらに、このような不都合を抑制するためにスリット１０ｍの長さを長くした場合には、必然的にノズル部１５の長さが長くなり、その結果、必要量以上に、眼球３にノズル部１５を挿入してしまう不都合があった。
【００６３】
これに対し、図８には本実施例に係るノズル部１５付近の図を示す。図８からも判るように、本実施例では、スリット１０ｍを、ノズル部１５における先端から、眼球３内に挿入させる最大長さに相当する部分（以下、挿入限界点ともいう。）１０ｐより後方まで形成するとともに、ノズル部１５における挿入限界点１０ｐより後側の部分の外形を大きくすることで挿入禁止部１０ｑを形成した。
【００６４】
これによれば、まず、ノズル部１５を眼球３内に過剰に挿入してしまうことを、より確実に抑制できる。また、切開創３ａへのノズル部１５の挿入時や、眼内レンズ２の通過時におけるノズル部１５の変形により、スリット１０ｍの基端部１０ｎが変形したとしても、この変形によってノズル部１５の切開創３ａからの抜き取りに支障が生じたり、眼球３を傷つけたりする不都合を抑制できる。この挿入禁止部１０ｑは、本実施例において挿入規制部及び大径部に相当する。
【００６５】
なお、本実施例における挿入禁止部１０ｑは、先端側にテ―パ状の段部１０ｌを有している。これにより、ノズル部１５を切開創３ａに挿入した際に、挿入禁止部１０ｑが眼球３に強く干渉し、眼球３を傷つけてしまうことを抑制できる。なお、挿入禁止部１０ｑの径は、切開創３ａの長さ（または径）より大きくすることが望ましい。これにより、より確実に、ノズル部１５を眼球３内に過剰に挿入してしまうことを抑制できる。また、段部１０ｌのテ―パ角度は例えば４５度以上の急峻な角度とすることが望ましい。これにより、より確実に、ノズル部１５が切開創３ａ内に過剰に挿入されてしまうことを抑制できる。
【００６６】
また、本実施例における貫通孔１０ｃには、図８に示すように、ステージ部１２側からノズル部１５側に行くに連れて底面および上面の幅寸法が緩やかに小さくされる第一テ―パ部１０ｒと、ステージ部１２側からノズル部１５側に行くに連れて、底面および上面の幅寸法が第一テ―パ部１０ｒよりも急峻に小さくされる第二テ―パ部１０ｓとが設けられている。このように、テ―パ部を２段階にし、まず緩やかなテ―パ部に、その後急峻なテ―パ部に眼内レンズ２を通過させることで、眼内レンズ２のレンズ本体２aを、始めは緩やかに、その後に急峻に変形させることができる。これによって、より確実に、眼内レンズ２を図８（ａ）に示す方向、すなわちスリット１０ｍと反対側に眼内レンズ本体２ａが凸となる方向に折りたたんで変形させることができる。また眼内レンズ２の前側の支持部２ｂが第二テーパ部１０ｓの作用により、確実に後方向へ曲げられる。よって眼内レンズ２の変形がレンズ本体２ａ、支持部２ｂとも、より確実に行なわれるので、眼内レンズ２をノズル部１５から放出する際の操作が安定し、容易に眼球３内に眼内レンズ２を挿入することができる。
【００６７】
そうすれば、眼内レンズ２が変形した際にその外周部をスリット１０ｍ側に配置することが可能となり、スリット１０ｍにより眼内レンズ２に傷がついたり、眼内レンズ２がスリット１０ｍからはみ出るなどの不都合を抑制することができる。この第一テ―パ部１０ｒと第二テ―パ部１０ｓは、本実施例において多段テ―パ構造及び、変形補助手段に相当する。
【００６８】
図９には、本実施例におけるシリンジ１０の断面図を示す。図９（ａ）は、図８におけるＡ−Ａ断面を、図９（ｂ）は、図８におけるＢ−Ｂ断面を、図９（ｃ）は、図９におけるＣ−Ｃ断面を示す。また、各断面図には当該断面を通過する際の眼内レンズ２のレンズ本体２ａの形状を併せて示している。図９（ａ）を見て分かるように、本実施例において少なくとも第一テ―パ部１０ｒに相当する貫通孔１０ｃには、レンズ本体２ａの左右の外周部分に上側から接触するガイド１０ｔ、１０ｔが形成されている。
【００６９】
少なくとも眼内レンズ２が第一テ―パ部１０ｒを通過する際に、ガイド１０ｔ、１０ｔが、レンズ本体２ａの左右の外周部分が上側に変位しないようにガイドすることで、眼内レンズ２が、図９における下側に凸になるように変形することを抑制できる。すなわち、レンズ本体２ａをさらに確実に、図９（ｂ）及び図９（ｃ）に示すように、図９における上側に凸になるように変形させることができる。このガイド１０ｔ、１０ｔは、本実施例において周辺部支持ガイド及び、変形補助手段に相当する。
【００７０】
なお、本実施例において貫通孔１０ｃを縮径する際に、第一テ―パ部１０ｒと第二テ―パ部１０ｓの２段階のテ―パ構造を採用したが、このテ―パ構造については２段階に限定されるものではない。３段階以上のテ―パ部を用いてもよいし、滑らかに曲線状にテ―パ角度を変化させるような構造としてもよい。
【００７１】
また、本実施例における挿入禁止部１０ｑは、ノズル部１５よりも大径の筒状形状としたが、挿入禁止部１０ｑの形状はこれに限られない。ノズル部１５が、挿入限界点を越えて切開創３ａに挿入されることを抑制できる形状であれば他の形状でも構わない。例えば、ノズル部１５の外周の一部が外周側に突出したストッパ形状としてもよい。また、段部１０１の形状も、テーパ形状である必要はなく、縦断面が円弧状の曲面としてもよいし、他の曲面形状を採用しても構わない。縦断面が矩形状の段部を採用しても構わない。
【００７２】
＜実施例２＞
次に、本発明における実施例２について説明する。本実施例では、ノズル部のスリットの基端部が、ノズル部より径の大きい挿入禁止部の側面に位置するが、スリットの基端部の周囲には、ノズル部と同等の厚みの領域を設けた例について説明する。
【００７３】
図１０には、本実施例に係るノズル部１５付近を上下方向下側から見た図を示す。本実施例におけるスリット２０ｍは、実施例１におけるスリット１０ｍよりも幅狭となっている。また、挿入禁止部１０ｑにおける、スリット２０ｍの基端部２０ｎの周囲には、ノズル部１５と同じ径を有する小径部としてのノズル延長部２０ｔが形成されている。その他の構成は、実施例１と略同じである。
【００７４】
この構成によれば、スリット２０ｍの基端部２０ｎにおける変形の自由度を比較的高く維持することができる。そのために、ノズル部１５をより高い自由度で円滑に変形させることが可能となる。また、ノズル延長部２０ｔの周囲には、実施例１と同じく挿入禁止部１０ｑが設けられているため、ノズル部１５が眼球内に過剰に深く挿入されることを防止できる。なお、本実施例におけるスリット２０ｍは、実施例１におけるスリット１０ｍより幅狭としたが、スリットの幅自体は、実施例１と同等以上であっても構わない。
【００７５】
＜実施例３＞
次に、本発明における実施例３について説明する。本実施例では、ノズル部のスリットの形状が、先端側に行くほど幅が広くなるＶ字状である場合の例について説明する。
【００７６】
図１１には、本実施例に係るノズル部１５付近を上下方向下側から見た図を示す。本実施例におけるスリット３０ｍは、基端部３０ｎにおいて幅が最も狭くなっており、先端開口部１０ｊに向かうに従って、幅が広くなるＶ字状の形状を有している。挿入禁止部１０ｑにおける、スリット３０ｍの基端部３０ｎの周囲には、ノズル部１５と同じ径を有するノズル延長部３０ｔが形成されている。
【００７７】
この構成によれば、スリット３０ｍの基端部３０ｎにおける変形の自由度が比較的高くなるとともに、ノズル部１５の先端側にいくに従って、ノズル部１５の変形可能量が大きくなる。そうすると、図１１（ｂ）に示すように、眼球３の切開創３ａにノズル部１５を挿入する際に、ノズル部１５の先端側を変形によって、より細くすることができ、より短いまたは小径の切開創３ａで眼内レンズの挿入作業を行うことが可能となる。また、眼内レンズの挿入時にノズル部１５を切開創３ａに徐々に押し込んでいくと、ノズル部１５も徐々に変形して細くなっていくため、短いまたは小径の切開創３ａに無理なく対応できる。
【００７８】
図１２には、本実施例における第２の態様について示す。図１２に示す態様においては、スリット４０ｍは、先端開口部４０ｊの略最大幅の部分から連続してＶ字状に形成されている。このような構成によっても、ノズル部１５の先端側を変形によって、より細くすることができ、より短いまたは小径の切開創３ａで眼内レンズの挿入作業を行うことが可能となる。なお、図１２におけるノズル部１５先端から挿入限界点１０ｐまでの長さＬ１＝４〜７ｍｍ、ノズル延長部４０ｔの長さＬ２＝０．５〜２ｍｍ、ノズル部１５の径Ｄ１＝２〜３ｍｍ、挿入禁止部１０ｑの径Ｄ２＝２．５〜３．５ｍｍ（＝Ｄ１＋０．５〜１ｍｍ）になっている。
【００７９】
なお、本実施例におけるスリットの形状については、適宜変更することが可能で上述した形状に限定されるものではない。また、Ｌ１、Ｌ２、Ｄ１、Ｄ２の値について上記は一例であり、他の寸法を採用しても構わない。
【００８０】
なお、各実施例は眼内レンズの挿入器具に予め眼内レンズが装填されたいわゆるプリセットシステムについて説明したが、本発明はこれに限定されるものではなく、眼内レンズの挿入器具と眼内レンズを別々に保管しておき、眼球内への挿入作業の直前に眼内レンズを装填するためのいわゆるセパレートインサータについても適用され得る。また同様に、各実施例では、挿入する眼内レンズを、レンズ本体（光学部）と支持部が別の材料で作られるいわゆるスリーピース型を使用する例で説明したが、レンズ本体（光学部）と支持部が一体成型される、いわゆるワンピース型眼内レンズを挿入するための挿入器具にも、本発明を適用することができる。
【符号の説明】
【００８１】
１・・・挿入器具
２・・・眼内レンズ
１０・・・器具本体
１０ａ・・・先端部
１０ｃ・・・貫通孔
１０ｊ・・・先端開口部
１０ｌ・・・段部
１０ｍ、２０ｍ、３０ｍ、４０ｍ・・・スリット
１０ｎ、２０ｎ、３０ｎ、４０ｎ・・・基端部
１０ｐ・・・挿入限界点
１０ｒ・・・第一テ―パ部
１０ｓ・・・第二テ―パ部
１０ｔ・・・ガイド
１５・・・ノズル部
２０ｔ、３０ｔ、４０ｔ・・・ノズル延長部
３０・・・プランジャ
５０・・・位置決め部材
１００・・・先端上側部
１０１・・・先端下側部
【図１】
2012086797.tif 000003
【図２】
2012086797.tif 000004
【図３】
2012086797.tif 000005
【図４】
2012086797.tif 000006
【図５】
2012086797.tif 000007
【図６】
2012086797.tif 000008
【図７】
2012086797.tif 000009
【図８】
2012086797.tif 000010
【図９】
2012086797.tif 000011
【図１０】
2012086797.tif 000012
【図１１】
2012086797.tif 000013
【図１２】
2012086797.tif 000014
【国際調査報告】
2012086797.tif 000015
2012086797.tif 000016
2012086797.tif 000017
2012086797.tif 000018